(57)【特許請求の範囲】
【請求項１】
建設機械の運転室に取付けられるエアコン用外気導入フィルタの取付け構造において、
前記運転室の内側に、フィルタを収容するフィルタケースを設け、該フィルタケースの底板を外方が下がるように傾斜させると共に、
前記運転室に外部に突出して設けられるダクトの下部に、前記フィルタケースの底板に溜まる塵埃を排出する排出口を設け、
前記フィルタは該フィルタに外嵌めしたフィルタサポートを備えると共に、フィルタの側面側および底面側とフィルタケースとの間の気密性を保つパッキングをフィルタ側に備え、
前記フィルタケースに設けた開口部より前記フィルタを挿脱自在に取付け、
前記フィルタサポートの底板を前記フィルタケースの底板と同方向に傾斜させ、
前記フィルタサポート板の下面に、前記フィルタケースの底板の上面に載せるパッキングを取付けた
ことを特徴とするエアコン用外気導入フィルタの取付け構造。
【請求項２】
請求項１のエアコン用外気導入フィルタの取付け構造において、
前記フィルタサポートは両側の側板と底板とを有し、
前記フィルタは天板と側板と底板からなる枠にフィルタ本体を固定した構造を有し、
前記フィルタサポートの底板は、フィルタサポートの側板下部より運転室の外方側に向けて突出した部分を有し、かつ前記フィルタサポートの底板の上面部にパッキングを取付け、
前記フィルタおよびフィルタサポートを、前記フィルタケースの天板に設けた開口部より挿脱自在に装着する構造を有し、
前記フィルタサポートの側板の幅を前記フィルタの側板の幅より狭幅に形成してフィルタの側板の一部をフィルタサポートの側板より運転室の外方側に向けて突出させ、
前記フィルタの側板の外方側への突出部と、その側板の突出部に相当するフィルタの底板の下面にパッキングを貼付け、
前記フィルタの底板の下面のパッキングを前記フィルタサポートの底板上面のパッキングに載せ、かつ前記フィルタの側板のパッキングを前記フィルタケースの側板の内面に当接させてフィルタケースおよびフィルタを取付ける
ことを特徴とするエアコン用外気導入フィルタの取付け構造。
【発明の詳細な説明】
【０００１】
【発明の属する技術分野】
本発明は、建設機械の運転室のエアコン用外気導入フィルタの取付け構造に関する。
【０００２】
【従来の技術】
油圧ショベルやクレーンあるいはこれらの応用機械である建設機械においては、運転室用エアコンが設置される。そして、運転室内の後部には、運転室に導入する外気中の塵埃を除去するフィルタが取付けられる。図９は従来のフィルタの取付け構造を示す縦断面図である。６０は運転室の後壁６１に取付けられる雨よけ用ダクト、６２はダクト６０にボルト６３によって取付けるフィルタケース、６４はフィルタであり、該フィルタ６４は、フィルタケース６２の天板６２ａの開口部６２ｂより挿脱自在に、かつフィルタケース６２の底板６２ｃの上面に固定したガイド枠６５に下部を嵌合して取付けられる。６６はフィルタケース６２の底板６２ｃの上面に取付けられ、フィルタ６４の底板６４ａが載置されるパッキング、６７はフィルタケース６２の側板に取付けられ、フィルタ６４の側板６４ｂが当接するパッキングであり、これらのパッキング６６、６７によりフィルタ６４の外面とフィルタケース６２の内面との間からの外気の通過が防止される。６８は導入外気の流れである。
【０００３】
【発明が解決しようとする課題】
上記従来構造においては、フィルタケース６２の底板６２ａ上に溜まる塵埃は、フィルタケース６２を取外さなければ除去しえない構造であり、このため、フィルタケース６２内の清掃が容易ではないという問題点がある。
【０００４】
また、フィルタケース６２の内面にパッキング６６、６７を取付けているので、パッキング６６、６７の経年劣化による交換も、やはりフィルタケース６２を取外さなければ行えないという問題点がある。
【０００５】
本発明は、上記問題点に鑑み、建設機械の運転室のエアコン用フィルタの外気導入構造において、パッキングの交換が容易となり、かつフィルタケースの底板上に溜まる塵埃を容易に除去することができるものを提供することを目的とする。
【０００６】
【課題を解決するための手段】
請求項１のエアコン用外気導入フィルタの取付け構造は、建設機械の運転室に取付けられるエアコン用外気導入フィルタの取付け構造において、
前記運転室の内側に、フィルタを収容するフィルタケースを設け、該フィルタケースの底板を外方が下がるように傾斜させると共に、
前記運転室に外部に突出して設けられるダクトの下部に、前記フィルタケースの底板に溜まる塵埃を排出する排出口を設け、
前記フィルタは該フィルタに外嵌めしたフィルタサポートを備え、
前記フィルタケースに設けた開口部より前記フィルタを挿脱自在に取付け、
前記フィルタサポートの底板を前記フィルタケースの底板と同方向に傾斜させ、
前記フィルタサポートの側板にパッキングを取付けると共に、前記フィルタサポート板の下面に、前記フィルタケースの底板の上面に載せるパッキングを取付けた
ことを特徴とする。
【０００７】
このように、パッキングをフィルタ側に取付ければ、フィルタを外すことにより、パッキングをフィルタケース外に出すことができ、パッキングの交換が容易となる。また、パッキングが外部に取外し可能であり、かつフィルタケースの底板を外方が下がるように傾斜させ、かつダクトの下部に塵埃の排出部を設けているので、フィルタケースの底板上に溜まる塵埃を斜面に沿って排出口から容易に排出することができ、清掃が容易となる。
【０００８】
また、フィルタケースの底板とフィルタサポートとを同方向に傾斜させると、両者間に介在させるパッキングはフィルタケースの底板の上面に均一に圧縮され、良好な気密性が保たれる。
【０００９】
請求項２のエアコン用外気導入フィルタの取付け構造は、請求項１において、
前記フィルタサポートは両側の側板と底板とを有し、
前記フィルタは天板と側板と底板からなる枠にフィルタ本体を固定した構造を有し、
前記フィルタサポートの底板は、フィルタサポートの側板下部より運転室の外方側に向けて突出した部分を有し、かつ前記フィルタサポートの底板の上面部にパッキングを取付け、
前記フィルタおよびフィルタサポートを、前記フィルタケースの天板に設けた開口部より挿脱自在に装着する構造を有し、
前記フィルタサポートの側板の幅を前記フィルタの側板の幅より狭幅に形成してフィルタの側板の一部をフィルタサポートの側板より運転室の外方側に向けて突出させ、
前記フィルタの側板の外方側への突出部と、その側板の突出部に相当するフィルタの底板の下面にパッキングを貼付け、
前記フィルタの底板の下面のパッキングを前記フィルタサポートの底板上面のパッキングに載せ、かつ前記フィルタの側板のパッキングを前記フィルタケースの側板の内面に当接させてフィルタケースおよびフィルタを取付ける
ことを特徴とする。
【００１０】
このような構造とすれば、フィルタは底板が平面状をなす通常の市販の構造のフィルタを用いることができる。また、フィルタサポートの側面ではなく、フィルタの側板にパッキングを取付けてフィルタケースの側板内面との気密を図る構造であり、フィルタの幅を狭くすることなく実施することができる。
【００１１】
【発明の実施の形態】
図１は本発明によるエアコン用外気導入フィルタの取付け構造の一実施の形態を示す運転室の一部破断側面図である。図１において、１は建設機械の運転室であり、２は運転室１の後部に取付けられるエアコンユニットであり、該エアコンユニットは、冷房用のブロア、エバポレータ、暖房用の熱交換器、ファン、およびこれらの制御系や配管等で構成されている。２ａは該エアコンユニットへの外気導入装置である。該外気導入装置２ａは、運転室１の後壁３に取付けられるダクト４と、該ダクト４に取付けられるフィルタケース５と、該フィルタケース５に収容されるフィルタサポート６と、フィルタ７とからなる。
【００１２】
ダクト４は図２に示すようボックス状をなすもので、後壁３の開口部８に嵌合され、内板９は外周に突出させてフランジ１０とし、該フランジ１０の穴に挿通するねじ１１を、後壁３に溶接したナット１２にねじ込んで固定される。
【００１３】
該ダクト４は、外板１３の下部に空気導入口１４を有し、該空気導入口１４の内側に整流板１５が設けられる。また、内板９の上部には、前記空気導入口１４から前記フィルタ７に通す開口部１６が設けられる。また、内板９の下部と、底板１７には、前記フィルタケース５内に溜まる塵埃を排出する排出口１８、１９が設けられる。２０は前記内板９に溶接したフィルタケース取付け用ナットである。
【００１４】
図３（Ａ）、（Ｂ）はそれぞれ前記フィルタケース５の縦断面図および平面図である。該フィルタケース５は、外板２２と内板２３と左右の側板２４と天板２５と底板２６とからなるボックス状をなす。外板２２はフィルタ７に外気を通すための開口部２７を有し、かつ図４の縦断面図と図５（Ａ）の平面図に示すように、左右に突出したフランジ２８に設けた切り込み溝２９にねじ３０を通し、前記ダクト４に設けたナット２０にねじ込むことによってダクト４に固定して取付けられる。
【００１５】
前記フィルタケース５の天板２５には前記フィルタサポート６とフィルタ７を挿入するための開口部３２を設け、該開口部３２の周辺にはゴム等でなるパッキング３３を貼付ける。また天板２５には、フィルタサポート６を取付けるためのナット３４が溶接されている。前記フィルタケース５の内側には、エアコン装置に接続するためのダクト（図示せず）を接続する接続口３５を取付けている。
【００１６】
前記フィルタケース５の底板２６は塵埃の自然落下および掃除による排出を容易にするために後部が下がる傾斜構造に形成されている。底板２６の上面の左右には、フィルタサポート６およびフィルタ７の下部を嵌め込むガイド板３６が設けてある。
【００１７】
図６（Ａ）、（Ｂ）は前記フィルタサポート６の平面図および背面図、図７（Ａ）はフィルタサポート６の側面図、図７（Ｂ）は図７（Ａ）のＥ−Ｅ断面図である。該フィルタサポート６は、左右の側板３７と、底板３８と、側板３７の頂部に前後に延出させて溶接した取付け板４１とからなり、取付け板４１の前後には、取付け孔４２が設けられている。
【００１８】
前記フィルタサポート６の底板３８は、前記フィルタケース５の底板２６と同様に、後方が下がった傾斜構造としている。また、該底板３８は、側板よりも後方に延出した延出部３８ａを有する。該底板３８の下面にはゴム等からなるパッキング３９を貼付け、該底板３８の上面にもパッキング４０を貼付けている。
【００１９】
図８（Ａ）、（Ｂ）、（Ｃ）はそれぞれフィルタ７の正面図、側面図、平面図である。該フィルタ７は、左右の側板４３と底板４４と天板４５とからなる枠内に除塵用フィルタ本体４６を取付けた構造を有する。天板４５の両端には、前記フィルタサポート６の取付け板４１に弾発的に係止させてフィルタ７を固定する弾性材からなる係止爪４７を有する。前記フィルタサポート６の側板３７の前後幅Ｗ２（図７（Ａ）参照）は、前記フィルタ７の側板４３の前後幅Ｗ１より狭幅に形成される。
【００２０】
前記フィルタ７の側板４３の後部外面および底板４４の下面の後部側にはパッキング４９を貼付けている。該パッキング４９および前述のパッキング３３、３９、４０として特に材質は限定されないが、ウレタンゴムやネオプレンゴムを用いることが好ましい。５０はフィルタ着脱のために天板４５上に固定した取手である。
【００２１】
図４の平面図および図５（Ａ）の縦断面図に示すように、フィルタサポート６にフィルタ７を嵌め、フィルタ７の係止爪４７をフィルタサポート６の取付け板４１に係止させて両者を結合する。この結合状態においては、フィルタ７の底板４４の下面の前部がフィルタサポート６の底板３８上のパッキング４０に当接してこれを圧縮すると共に、フィルタ７の底板４４の下面の後部のパッキング４９が前記パッキング４０に当接して両パッキングが圧縮される。
【００２２】
この状態でフィルタサポート６とフィルタ７とをフィルタケース５の天板２５の開口部３２より挿入し、フィルタサポート６の底板３８の下面のパッキング３９をフィルタケース５の底板２６上に載せる。また、同時に、図５（Ｂ）に示すように、フィルタ７の側板４３に取付けたパッキング４９をフィルタケース５の側板２４に圧接する。そして取付け板４１の取付け孔４２よりねじ５１を挿入してフィルタケース５の天板２５に固着したナット３４にねじ込むことにより、フィルタサポート６をフィルタケース５に固定する。図４において、点線矢印は外気を導入する際の空気の流れを示す。フィルタ７を取外す場合には、前記５１を外してフィルタサポート６と共にフィルタ７を取外す。
【００２３】
前述のように、フィルタ７をフィルタケース６と共にフィルタケース５に取付けた状態では、フィルタケース５の底板２６とフィルタサポート６の底板３８とは平行をなし、両者間でパッキング３９が前後幅全体で均一に圧縮されるので、良好な気密状態が維持される。また、フィルタケース６の底板３８は傾斜し、フィルタ７の底板４４は水平であるが、フィルタの底板４４の下面には後部のみにパッキング４０を設けているので、フィルタケース６の底板３８上のパッキング４０に対し、底板４４が片当たりすることなく、良好な気密状態が保たれる。
【００２４】
また、フィルタ７の天板４５は、開口部３２の縁のパッキング３３を圧縮し、開口部３２の気密性を保つ。また、図５（Ｂ）に示すように、フィルタ７の両側とフィルタケース５の側板２４との間はパッキング４９で閉塞され、気密性を保つ。
【００２５】
このように、パッキング３９、４９をフィルタ側部材（フィルタサポート６とフィルタ７）に取付けているので、これらの部材をフィルタケース５から外すことにより、フィルタケース５に当接するパッキング３９、４９をフィルタケース５の外に出すことができ、パッキング３９、４９の交換が容易となる。また、フィルタサポート６とフィルタ７との間のパッキング４０の交換も容易となる。
【００２６】
また、フィルタケース５の底板２６を後方が下がるように傾斜させ、かつダクト４の下部に塵埃の排出部１８、１９を設けているので、フィルタケース５の底板２６上に溜まる塵埃を斜面に沿って排出口１８、１９から容易に排出することができ、清掃が容易となる。
【００２７】
また、フィルタサポート６の底板３８上のパッキング４０に対し、フィルタ７の底板４４のパッキング４９を後部に取付けているので、フィルタサポート６の底板３８が傾斜していても、フィルタは底板が平面状をなす通常の市販の構造のフィルタを用いることができ、安価に実施できる。また、フィルタサポート６の側面ではなく、フィルタ７の側板４３にパッキング４９を取付けてフィルタケース５の側板２４の内面との気密を図る構造であり、フィルタ７の幅を従来より狭くすることなく実施することができる。
【００２８】
本発明を実施する場合、前記ダクト４を運転室１の側壁に取付け、フィルタを側壁側に向けて設置する構成も採用できる。また、フィルタケース５の底板２６を傾斜させる構造は、フィルタサポート６を用いない構造にも採用できる。
【００２９】
【発明の効果】
請求項１によれば、フィルタケースの内面のフィルタとの間の気密性を保つためのパッキングをフィルタまたはフィルタ側部材に取付けたので、フィルタまたはフィルタとフィルタ側部材を外すことにより、パッキングをフィルタケース外に出すことができ、パッキングの交換が容易となる。
【００３０】
また、パッキングが外部を取外し可能にすると共に、フィルタケースの底板を外方が下がるように傾斜させ、かつダクトの下部に塵埃の排出部を設けているので、フィルタケースの底板上に溜まる塵埃を斜面に沿って排出口から容易に排出することができ、清掃が容易となる。
【００３１】
また、フィルタケースの底板とフィルタサポートの底板とを同方向に傾斜させてフィルタケースの底板の下面にパッキングを取付けたので、該パッキングはフィルタケースの底板の上面に均一に圧縮され、良好な気密性が保たれる。
【００３２】
請求項２によれば、フィルタは底板が平面状をなす通常の市販の構造のフィルタを用いることができ、安価に実施できる。また、フィルタサポートの側面ではなく、フィルタの側板にパッキングを取付けてフィルタケースの側板内面との気密を図る構造であり、フィルタの幅を狭くすることなく実施することができる。
【図面の簡単な説明】
【図１】本発明によるフィルタの取付け構造の一実施の形態を示す建設機械の運転室の側面図である。
【図２】本実施の形態のダクトの縦断面図である。
【図３】（Ａ）は本実施の形態のフィルタケースの縦断面図、（Ｂ）はその平面図である。
【図４】本実施の形態のフィルタの取付け構造を示す縦断面図である。
【図５】（Ａ）は本実施の形態のフィルタの取付け構造を示す平面図、（Ｂ）は図４のＤ-Ｄ断面図である。
【図６】（Ａ）、（Ｂ）はそれぞれ本実施の形態のフィルタサポートの平面図、背面図である。
【図７】（Ａ）は本実施の形態のフィルタサポートの側面図、（Ｂ）はそのＥ−Ｅ断面図である。
【図８】（Ａ）、（Ｂ）、（Ｃ）はそれぞれ本実施の形態のフィルタの正面図、側面図、平面図である。
【図９】従来のフィルタの取付け構造を示す縦断面図である。
【符号の説明】
１：運転室、２：エアコンユニット、２ａ：外気導入装置、３：後壁、４：ダクト、５：フィルタケース、６：フィルタサポート、７：フィルタ、９：内板、１１：ねじ、１２：ナット、１３：外板、１４、１６：開口部、１５：整流板、１７：底板、１８、１９：排出口、２０：ナット、２２：外板、２３：内板、２４：側板、２５：天板、２６：底板、２７：開口部、２８：フランジ、２９：切り込み溝、３０：ねじ、３２：開口部、３３：パッキング、３４：ナット、３５：接続口、３６：ガイド板、３７：側板、３８：底板、３８ａ：延出部、３９、４０：パッキング、４１：取付け板、４２：取付け孔、４３：側板、４４：底板、４５：天板、４７：係止爪、４９：パッキング、５０：取手、５１：ねじ
【図１】
0003778423.tif 000002
【図２】
0003778423.tif 000003
【図３】
0003778423.tif 000004
【図４】
0003778423.tif 000005
【図５】
0003778423.tif 000006
【図６】
0003778423.tif 000007
【図７】
0003778423.tif 000008
【図８】
0003778423.tif 000009
【図９】
0003778423.tif 000010